(57)【要約】【課題】土木用枡等の位置合わせを容易にする。【解決手段】上部２０ａが曲面に加工された棒状の本体２０と、本体２０の軸方向に対して垂直な面方向に突出した挟み板２２と、を備える位置合わせ具２００とする。【選択図】図１
2011174225.tif 000002
【特許請求の範囲】
【請求項１】
少なくとも一端が曲面に加工された棒状の本体と、
前記本体の軸方向に対して垂直な面方向に突出した挟み板と、
を備えることを特徴とする位置合わせ具。
【請求項２】
請求項１に記載の位置合わせ具であって、
前記挟み板は、切り取り可能に構成されていることを特徴とする位置合わせ具。
【請求項３】
請求項１又は２に記載の位置合わせ具であって、
前記挟み板は、前記本体に対して取り外し可能であることを特徴とする位置合わせ具。
【請求項４】
請求項１〜３のいずれか１つに記載の位置合わせ具であって、
前記挟み板が複数設けられ、複数の前記挟み板が互いに直角な方向に突出させられていることを特徴とする位置合わせ具。
【請求項５】
請求項１〜４のいずれか１つに記載の位置合わせ具であって、
土木用枡に設けられた穴に前記本体の上部及び下部を挿入することによって、土木用枡の位置合わせに用いられることを特徴とする位置合わせ具。
【発明の詳細な説明】
【技術分野】
【０００１】
本発明は、土木用枡等の位置合わせに用いられる位置合わせ具に関する。
【背景技術】
【０００２】
図９に、土木用枡１００を示す。土木用枡１００は、コンクリートや合成樹脂等で形成された角筒形状を有する部材である。土木用枡１００は、複数を上下に積み重ねることによって排水溝等を形成するために用いられる。
【０００３】
また、図９に示した土木用枡１００は上下に積み重ねる際に隅同士の位置合わせが難しい。そこで、図１０に示すように、一方に突起１０、他方に突起１０と嵌合する凹み１２を設けた土木用枡１０２も用いられている。
【発明の概要】
【発明が解決しようとする課題】
【０００４】
土木用枡１００，１０２は、非常に重量が大きいために互いに積み重ねる際の隅の位置合わせが難しく、少人数の作業員が迅速に定位置に設置することが困難である。
【０００５】
また、土木用枡１００，１０２を上下に積み重ねたときに、土木用枡１００の間に隙間が出来ないために、作業途中に作業員が指を挟んでしまうおそれがある。また、土木用枡１００，１０２の間に隙間がないため、バール等を用いて土木用枡１００，１０２をずらせて位置、高さ及び傾斜を微調整することが困難である。さらに、土木用枡１００，１０２の間の隙間に目地打等を行うことが困難である。
【０００６】
また、土木用枡１０２は、土木用枡１００に比べると積み重ねる際の隅の位置合わせは容易であるが、突起１０や凹み１２が邪魔になり多目的に使用できないという問題がある。
【課題を解決するための手段】
【０００７】
本発明の１つの態様は、少なくとも一端が曲面に加工された棒状の本体と、前記本体の軸方向に対して垂直な面方向に突出した挟み板と、を備えることを特徴とする位置合わせ具である。
【０００８】
この位置合わせ具は、例えば、土木用枡に設けられた穴に前記本体の上部及び下部を挿入することによって、土木用枡の位置合わせに用いられることが好適である。
【０００９】
ここで、前記挟み板は、切り取り可能に構成されていることが好適である。また、前記挟み板は、前記本体に対して取り外し可能とすることも好適である。
【００１０】
また、前記挟み板が複数設けられ、複数の前記挟み板が互いに直角な方向に突出させられていることが好適である。
【発明の効果】
【００１１】
本発明によれば、土木用枡等の位置合わせが容易となる。
【図面の簡単な説明】
【００１２】
【図１】本発明の実施の形態における位置合わせ具の構成を示す斜視図である。
【図２】本発明の実施の形態における位置合わせ具の構成を示す平面図である。
【図３】本発明の実施の形態における位置合わせ具の構成を示す側面図である。
【図４】本発明の実施の形態における土木用枡の構成を示す斜視図である。
【図５】本発明の実施の形態における位置合わせ具の使用方法を示す斜視図である。
【図６】本発明の実施の形態における位置合わせ具の使用方法を示す側面図である。
【図７】本発明の実施の形態における位置合わせ具の使用方法を示す斜視図である。
【図８】本発明の実施の形態における位置合わせ具の使用方法を示す図である。
【図９】従来の土木用枡の構成を示す斜視図である。
【図１０】従来の土木用枡の構成を示す斜視図である。
【発明を実施するための形態】
【００１３】
本発明の実施の形態における位置合わせ具２００は、図１の斜視図に示すように、本体２０及び挟み板２２を含んで構成される。図２は、位置合わせ具２００を上部方向からみた平面図であり、図３は、位置合わせ具２００を側面からみた側面図である。以下の説明では、図の上側を各部材の上方向、図の下側を各部材の下方向として示す。
【００１４】
本体２０は、棒状部材である。本体２０は、塩化ビニル等の硬質プラスチックで構成することが好適であるが、硬質材料であればこれに限定されるものではない。本体２０は、曲面加工された上部２０ａ及び下部２０ｂを胴部２０ｃによって軸方向Ｘに接続した構成とされる。上部２０ａ及び下部２０ｂは、それぞれ上に凸の曲面及び下に凸の曲面とし、例えば、上に凸の半球及び下に凸の半球とすることが好適である。ただし、加工性の観点からは、上部２０ａのみを上に凸の曲面に加工し、下部２０ｂは円筒形状のまま残すことも好適である。
【００１５】
挟み板２２は、本体２０の軸方向Ｘに対して垂直な面方向に胴部２０ｃの周面から突出する部材である。本実施の形態では、挟み板２２は２つ設けられ、本体２０の周方向に互いに直角な方向に突出するように設けられる。挟み板２２は、塩化ビニル等の硬質プラスチックで構成することが好適であるが、硬質材料であればこれに限定されるものではない。また、挟み板２２は、平板状の部材であり、その平面が本体２０の軸方向Ｘに対して垂直な面と一致するように本体２０から突出する。
【００１６】
位置合わせ具２００は、図４に示す土木用枡３００の設置の際の位置合わせに利用される。土木用枡３００は、排水溝等を構成するために用いられる角筒形状を有する部材である。土木用枡３００は、コンクリートや合成樹脂等の土木建材で形成される。
【００１７】
土木用枡３００の角筒の上面３０ａ及び下面３０ｂの４隅には穴３２及び穴３４がそれぞれ設けられる。穴３２及び穴３４は、図４に示すように、上面３０ａと下面３０ｂとにおいて別々に設けてもよいし、上面３０ａから下面３０ｂまで貫通するように設けてもよい。
【００１８】
土木用枡３００は、複数を積み重ねて使用されることがある。積み重ねて使用する際には、１つの土木用枡３００の上面３０ａに別の土木用枡３００の下面３０ｂを向かい合わせ、４隅の角を一致させた状態で積み重ねることが多い。このとき、上部２０ａ及び下部２０ｂの外径が穴３２及び穴３４の内径よりも小さい位置合わせ具２００を選択する。まず、図５及び図６（ａ）に示すように、１つの土木用枡３００の上面３０ａの穴３２のそれぞれに位置合わせ具２００を配置する。そして、図６（ｂ）に示すように、１つの土木用枡３００の上面３０ａの穴３２のそれぞれに位置合わせ具２００の下部２０ｂを挿入する。その後、図６（ｃ）に示すように、積み重ねられる別の土木用枡３００の下面３０ｂの穴３４に、穴３２のそれぞれに挿入された位置合わせ具２００の上部２０ａの位置を大まかに合わせて、積み重ねられる別の土木用枡３００の下面３０ｂの穴３４に位置合わせ具２００の上部２０ａを挿入するように積み重ねる。これによって、２つの土木用枡３００の４隅の位置を合わせつつ、積み重ねることができる。
【００１９】
ここで、位置合わせ具２００の上部２０ａが上に凸の曲面に形成されているので、土木用枡３００の穴３４に嵌め込む際に穴３４の縁が上部２０ａの曲面に沿って誘導され、自然に土木用枡３００の４隅の位置合わせが行われる。なお、位置合わせ具２００の下部２０ｂを下に凸の曲面に形成してもよく、この場合には土木用枡３００の穴３２に位置合わせ具２００を嵌め込む際に穴３２の縁が下部２０ｂの曲面に沿って誘導されるので嵌め込みが容易になる。
【００２０】
また、位置合わせ具２００は、図５及び図６（ａ）〜（ｃ）に示すように、挟み板２２が土木用枡３００の４隅から延びる辺に沿うように方向を合わせて配置する。このように配置することによって、積み重ねられた土木用枡３００の間に挟み板２２の板厚ｄ分の隙間が形成される。
【００２１】
この隙間にバール等を差し込むことによって、土木用枡３００の位置合わせの微調整を容易に行うことが可能になる。挟み板２２の板厚ｄは５ｍｍ以上２０ｍｍ以下とすることが好適である。これにより、土木用枡３００の位置合わせの微調整がより容易に行える。
【００２２】
また、この隙間に目地打をして土木用枡３００同士を固定することも可能である。例えば、くさび等を使用して高さ調整をしつつ、モルタル等を用いて目地打をすることができる。
【００２３】
一方、位置の微調整が必要でない場合や目地打をする必要がない場合には、挟み板２２を取り除ける構成としておくことが好適である。例えば、図１及び図２に示すように、挟み板２２の本体２０との付け根部分を櫛状部分１２ａに形成することが好適である。これによって、図７に示すように、挟み板２２が不要な場合には櫛状部分２２ａから挟み板２２をペンチ等で切り離して使用することができる。挟み板２２を切り離すことにより、土木用枡３００の間に隙間を形成することなく、位置合わせのためのみに使用することができる。なお、図７では、挟み板２２の切れ端が本体２０に残るように図示しているが、これは説明を明確にするためのものであり、実際には切れ端が本体２０にできるだけ残らないように切り取ることが好適である。
【００２４】
また、図８に示すように、本体２０に挟み板２２の先端を差し込む穴２０ｄを設け、挟み板２２を取り外し可能に差し込む構成としてもよい。これによっても土木用枡３００の間に隙間を形成することなく、位置合わせのためのみに使用することができる。
【００２５】
なお、挟み板２２の突出方向は、土木用枡３００の形状、位置合わせ具２００の使用箇所等に応じて変更することができる。例えば、土木用枡３００の隅でなく、辺の途中に設けた場合、本体２０の周面の対向する方向に突出させることが好適である。
【符号の説明】
【００２６】
１０  突起、１２ａ  櫛状部分、２０  本体、２０ａ  上部、２０ｂ  下部、２０ｃ  胴部、２０ｄ  穴、２２  挟み板、２２ａ  櫛状部分、３０ａ  上面、３０ｂ  下面、３２  穴、３４  穴、１００，１０２，３００  土木用枡、２００  位置合わせ具。
【図１】
2011174225.tif 000003
【図２】
2011174225.tif 000004
【図３】
2011174225.tif 000005
【図４】
2011174225.tif 000006
【図５】
2011174225.tif 000007
【図６】
2011174225.tif 000008
【図７】
2011174225.tif 000009
【図８】
2011174225.tif 000010
【図９】
2011174225.tif 000011
【図１０】
2011174225.tif 000012